(57)【要約】【課題】貯湯タンク内に貯溜された温水を他の加熱サイクルに用いる場合におけるヒートポンプサイクルの稼働頻度や稼働時間を減少させ，高いエネルギー消費効率を得ることのできるヒートポンプ式給湯機を提供すること。【解決手段】冷媒と水との間で熱交換を行う水熱交換器１２によって加熱された後の温水を貯湯する貯湯タンク２１内において温水を攪拌するための攪拌部材３２及び該攪拌部材３２を回転駆動する駆動モータ３３（攪拌手段の一例）を設けておき，貯湯タンク２１内の温水を沸き上げた後，該貯湯タンク２１内の温水を攪拌部材３２で攪拌することにより，該貯湯タンク２１内の温水の温度を均一化する。【選択図】図１
2008267658.tif 000002
【特許請求の範囲】
【請求項１】
冷媒と水との間で熱交換を行う水熱交換器を有するヒートポンプサイクルと，
前記水熱交換器によって加熱された後の温水を貯湯する貯湯タンクと，
前記貯湯タンクの下層の水を，前記水熱交換器を経由させた後に前記貯湯タンクの上層に還流させる水加熱経路と，
前記貯湯タンクの温水を，該温水を熱媒体に用いる加熱サイクルを経由させた後に該貯湯タンクに還流させる温水還流経路と，
を備えてなるヒートポンプ式給湯機であって，
前記貯湯タンク内において温水を攪拌する攪拌手段を備えてなることを特徴とするヒートポンプ式給湯機。
【請求項２】
前記攪拌手段が，プロペラ形状或いはスクリュー形状の攪拌部材と，前記攪拌部材を回転駆動する駆動手段とを有してなる請求項１に記載のヒートポンプ式給湯機。
【請求項３】
前記貯湯タンク内の温水の温度を検出する一又は複数の温度検出手段と，前記温度検出手段による検出結果に基づいて前記攪拌手段による攪拌動作の有無を切り換える第一の攪拌制御手段と，を更に備えてなる請求項１又は２のいずれかに記載のヒートポンプ式給湯機。
【請求項４】
当該ヒートポンプ式給湯機の運転内容に基づいて前記攪拌手段による攪拌動作の有無を切り換える第二の攪拌制御手段を更に備えてなる請求項１〜３のいずれかに記載のヒートポンプ式給湯機。
【請求項５】
所定の給水源から給水された水を前記貯湯タンク内の温水との間で熱交換を行うことにより加熱して給湯する直接給湯経路をさらに備えてなる請求項２〜４のいずれかに記載のヒートポンプ式給湯機。
【請求項６】
前記直接給湯経路が，前記貯湯タンク内を通過するように配された給湯配管を含んでなる請求項５に記載のヒートポンプ式給湯機。
【請求項７】
前記直接給湯経路が，前記貯湯タンク内に内蔵された給湯用タンクを含んでなる請求項５に記載のヒートポンプ式給湯機。
【発明の詳細な説明】
【技術分野】
【０００１】
本発明は，ヒートポンプサイクルにおいて加熱された温水を貯湯する貯湯タンクを有してなるヒートポンプ式給湯機に関し，特に，その貯湯タンク内の温水を熱媒体として他の加熱サイクルにも利用するように構成されたヒートポンプ式給湯機に関するものである。
【背景技術】
【０００２】
従来から，圧縮機や膨張弁，室外空気熱交換器などが接続されたヒートポンプサイクルに循環される冷媒との間で熱交換を行うことにより予め水を加熱して貯湯タンクに貯溜させておき，給湯時には，その貯湯タンクから温水を出力する貯湯式のヒートポンプ式給湯機がある（例えば，特許文献１参照）。
このように構成されたヒートポンプ式給湯機では，給湯の度にヒートポンプサイクルを稼働する必要がないため，装置全体のエネルギー消費効率を向上させることができる。ここで，冷媒としては，ＣＯ2冷媒などの炭酸ガス冷媒が用いられる。炭酸ガス冷媒は，水を９０℃程度まで沸き上げることができるため，貯湯タンクにその９０℃程度の高温の温水を貯湯することができる。なお，貯湯タンク内の温水を給湯する場合には，その給湯経路上で水と混合することにより温度が調節される。
【０００３】
一方，貯湯式のヒートポンプ式給湯機と同様に貯湯タンクに温水を貯溜しておき，給湯時には，その貯湯タンク内の温水を直接給湯するのではなく，水道から供給される水を，貯湯タンク内の温水との間の熱交換によって加熱して給湯する直湯式のヒートポンプ式給湯機がある。この場合にも，給湯の度にヒートポンプサイクルを稼働させる必要がないため，高いエネルギー消費効率を得ることができる。
以下，図４及び図５を用いて，前述したように貯湯タンクを有する直湯式のヒートポンプ式給湯機Ｙについて説明する。なお，後段の実施の形態で説明するヒートポンプ式給湯機Ｘ（図１参照）と同様の構成要素には同じ符号を付している。
【０００４】
図４に示すように，ヒートポンプ式給湯機Ｙでは，圧縮機１１，水熱交換器１２，膨張弁１３，室外空気熱交換器１４が順に接続されたヒートポンプサイクル１０にＣＯ2冷媒が循環される。そして，循環ポンプ１５が稼働されることにより，貯湯タンク２１の下層の水が水配管３を通じて水熱交換器１２に達し，該水熱交換器１２で９０℃程度まで加熱された後，貯湯タンク２１の上層に還流する。これにより，貯湯タンク２１の上層には９０℃程度の高温の温水が貯溜される。そして，ヒートポンプ式給湯機Ｙでは，給水口２４から供給される水が直接給湯経路２２に流通されて，貯湯タンク２１内の温水との間の熱交換によって加熱され，その加熱後の温水が給湯口２５から給湯される。
ところで，ヒートポンプサイクル１０や循環ポンプ１５などを稼働して貯湯タンク２１内の水を沸き上げると，該貯湯タンク２１内の温水には，図５（ａ）に示すように，例えば，上層が９０℃程度，中層が６０℃程度，下層が３０℃程度という三層の温度分布が生じる。
【０００５】
ヒートポンプ式給湯機Ｙでは，貯湯タンク２１の中層の６０℃程度の温水は，床暖房装置や浴室乾燥器などに接続された加熱サイクル２３で熱媒体として用いられる。加熱サイクル２３は，貯湯タンク２１の中層の６０℃程度の温水を床暖房装置や浴室乾燥器などに供給し，その床暖房装置や浴室乾燥器などで放熱して温度が低下した３０℃程度の温水を貯湯タンク２１の下層に還流するものである。
ここで，床暖房装置や浴室乾燥器などが長時間運転されると，図５（ａ）のような温度分布で貯溜された貯湯タンク２１内の温水は，次第に図５（ｂ）に示すような温度分布に変化し，床暖房装置や浴室乾燥器などに６０℃程度の温水を供給することができなくなる。そのため，ヒートポンプ式給湯機Ｙでは，貯湯タンク２１内の６０℃程度の温水が不足すると，ヒートポンプサイクル１０が稼働されて貯湯タンク２１内の温水が沸き上げられる。これにより，貯湯タンク２１内の温水が図５（ａ）に示すような温度分布に戻され，床暖房装置や浴室乾燥器などの運転を継続することができる。
【特許文献１】特開昭６０−１６４１５３号公報
【発明の開示】
【発明が解決しようとする課題】
【０００６】
しかしながら，ヒートポンプ式給湯機Ｙでは，貯湯タンク２１内に図５（ａ）に示すような三層の温度分布が形成されており，床暖房装置や浴室乾燥器などの加熱サイクル２３に用いる６０℃程度の温水の量が少ない。そのため，床暖房装置や浴室乾燥器などを長時間稼働させる場合には，ヒートポンプサイクル１０を頻繁に稼働して貯湯タンク２１内の温水を沸き上げる必要があり，エネルギー消費効率が悪いという問題がある。特に，北欧などの寒冷地では，床暖房装置などが長時間稼働されるため，その際のエネルギー消費効率の向上が強く望まれる。なお，特許文献１には，貯湯タンクの下層の温水を上層に還流させることにより貯湯タンク内の温水を均一な温度分布にすることについての記載があるが，それだけでは貯湯タンク内の温水が十分に混ざらず，均一な温度分布を形成することはできない。
従って，本発明は上記事情に鑑みてなされたものであり，その目的とするところは，貯湯タンク内に貯溜された温水を他の加熱サイクルに用いる場合におけるヒートポンプサイクルの稼働頻度や稼働時間を減少させ，高いエネルギー消費効率を得ることのできるヒートポンプ式給湯機を提供することにある。
【課題を解決するための手段】
【０００７】
上記目的を達成するために本発明は，冷媒と水との間で熱交換を行う水熱交換器を有するヒートポンプサイクルと，前記水熱交換器によって加熱された後の温水を貯湯する貯湯タンクと，前記貯湯タンクの下層の水を，前記水熱交換器を経由させた後に前記貯湯タンクの上層に還流させる水加熱経路と，前記貯湯タンクの温水を，該温水を熱媒体に用いる加熱サイクルを経由させた後に該貯湯タンクに還流させる温水還流経路と，を備えてなるヒートポンプ式給湯機に適用されるものであって，前記貯湯タンク内において温水を攪拌する攪拌手段を備えてなることを特徴とするヒートポンプ式給湯機として構成される。ここに，前記冷媒は，例えば炭酸ガス冷媒である。また，前記加熱サイクルは，床暖房装置又は浴室乾燥器に用いられるものであることが考えられる。
本発明によれば，前記攪拌手段によって前記貯湯タンク内において温水を攪拌することによって，該貯湯タンクの温水を十分に混ぜることができ，該貯湯タンク内の温水の温度を均一化することができる。これにより，例えば前記加熱サイクルに必要な温度の温水を多量に確保することができるため，該加熱サイクルに接続された床暖房装置や浴室乾燥器など機器を長時間稼働させる場合における前記ヒートポンプサイクルの稼働回数や稼働時間を減少させることができ，高いエネルギー消費効率を得ることができる。
【０００８】
具体的に，前記攪拌手段は，プロペラ形状或いはスクリュー形状の攪拌部材と，前記攪拌部材を回転駆動する駆動手段とを有するものであることが考えられる。これにより，前記駆動手段によって前記攪拌部材が回転駆動されることにより，前記貯湯タンク内において温水を十分に攪拌することができる。
また，前記貯湯タンク内の温水の温度を検出する一又は複数の温度検出手段を設けておき，該温度検出手段による検出結果に基づいて前記攪拌手段による攪拌動作の有無を切り換えることが考えられる。例えば，複数の前記温度検出手段による検出温度の温度差が所定値以上である場合に，前記攪拌手段による攪拌動作を実行することが考えられる。
さらに，当該ヒートポンプ式給湯機の運転内容に基づいて前記攪拌手段による攪拌動作の有無を切り換えてもよい。例えば，前記加熱サイクルを稼働するか否かに応じて切り換えることで，必要時だけに攪拌を行うことができ，前記攪拌手段による消費電力を省減することができる。
ところで，所定の給水源から給水された水を前記貯湯タンク内の温水との間で熱交換を行うことにより加熱して給湯する直接給湯経路を更に備えてなる構成も考えられる。具体的に，前記直接給湯経路は，前記貯湯タンク内を通過するように配された給湯配管を含んでなるものであっても，或いは，前記貯湯タンク内に内蔵された給湯用タンクを含んでなるものであってもよい。いずれの構成においても，前記貯湯タンク内の温水との間の熱交換により加熱された新鮮な水を供給することができる。
【発明の効果】
【０００９】
本発明によれば，前記攪拌手段によって前記貯湯タンク内において温水を攪拌することによって，該貯湯タンクの温水を十分に混ぜることができ，該貯湯タンク内の温水の温度を均一化することができる。これにより，例えば前記加熱サイクルに必要な温度の温水を多量に確保することができるため，該加熱サイクルに接続された床暖房装置や浴室乾燥器など機器を長時間稼働させる場合における前記ヒートポンプサイクルの稼働回数や稼働時間を減少させることができ，高いエネルギー消費効率を得ることができる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るヒートポンプ式給湯機Ｘの概略構成を示すブロック図である。
まず，図１を用いて，ヒートポンプ式給湯機Ｘの概略構成について説明する。
図１に示すように，ヒートポンプ式給湯機Ｘは，大別すると，ヒートポンプユニット１及び貯湯タンクユニット２を備えている。ヒートポンプユニット１に設けられた水熱交換器１２と，貯湯タンクユニット２に設けられた貯湯タンク２１とは，水が流通される水配管３によって接続されている。なお，ヒートポンプユニット１及び貯湯タンクユニット２は，後述のヒートポンプ制御部（不図示）とタンク制御部（不図示）などの制御系統や電気系統の接続もあるがここではその説明を省略する。
【００１１】
ヒートポンプユニット１は，圧縮機１１，水熱交換器１２，膨張弁１３及び室外空気熱交換器１４が順に接続されたヒートポンプサイクル（冷凍サイクル）１０と，水熱交換器１２及び貯湯タンクユニット２の貯湯タンク２１の間に接続された水配管３に水を循環させるための循環ポンプ１５と，当該ヒートポンプサイクル１を統括的に制御する不図示のヒートポンプ制御部とを備えている。なお，前記ヒートポンプ制御部（不図示）は，ＣＰＵやＲＡＭ，ＲＯＭなどの制御機器を有してなり，該ＲＯＭに記憶された制御プログラムに従って処理を実行するものである。
ここで，ヒートポンプサイクル１０に循環される冷媒は，水を９０℃程度の高温まで加熱することができるＣＯ2冷媒（炭酸ガス冷媒の一例）である。
水熱交換器１２には，ヒートポンプサイクル１０に循環される冷媒が流通される冷媒配管１２１と，水配管３に循環される水が流通される水配管１２２とが設けられている。水熱交換器１２では，冷媒配管１２１内の冷媒と水配管１２２内の水との間で熱交換が行われることにより水が加熱される。
ヒートポンプサイクル１０では，圧縮機１１において圧縮して吐出された高温高圧のＣＯ2冷媒が，水熱交換器１２において水配管３内を流れる水と熱交換されて冷却された後，膨張弁１３において膨張する。その後，膨張弁１３で膨張した低温低圧のＣＯ2冷媒は，室外空気熱交換器１４において送風ファンで送風される室外空気と熱交換されて吸熱し気化した後，再度圧縮機１１に流入する。
【００１２】
一方，貯湯タンクユニット２は，貯湯タンク２１と，直接給湯経路２２と，加熱サイクル２３と，温度センサ３１ａ〜３１ｃと，攪拌部材３２と，駆動モータ３３（駆動手段の一例）と，当該貯湯タンクユニット２を統括的に制御する不図示のタンク制御部とを備えている。なお，前記タンク制御部（不図示）は，ＣＰＵやＲＡＭ，ＲＯＭなどの制御機器を有してなり，該ＲＯＭに記憶された制御プログラムに従って処理を実行するものである。また，前記タンク制御部（不図示）及び前記ヒートポンプ制御部に換えて，両方の機能を達成する一つの制御部を設ける構成であってもよい。
貯湯タンク２１は，水熱交換器１２で加熱された後の温水を貯溜するものであって，該貯湯タンク２１の下層及び上層は水熱交換器１２を介して水配管３で接続されている。水配管３（水加熱経路の一例）は，貯湯タンク２１の下層の水を，水熱交換器１２を経由させた後に該貯湯タンク２１の上層に還流させるための水の流通経路である。
【００１３】
直接給湯経路２２は，給水口２４（所定の給水源の一例）から給水された水を，貯湯タンク２１内の温水との間で熱交換を行うことにより加熱して給湯口２５から給湯するための水の流通経路である。直接給湯経路２２には，貯湯タンク２１内を通過するように配された給湯配管２２１と，該給湯配管２２１から給湯口２５に流れる温水に給水口２４からの水を混合するための給湯混合弁２２２とが含まれている。給湯混合弁２２２の開閉は，前記タンク制御部（不図示）によって，予め設定された給湯温度に基づいて制御される。
このように構成されたヒートポンプ式給湯機Ｘでは，例えば深夜時間帯などに予めヒートポンプサイクル１０によって加熱した後の温水を貯湯タンク２１に貯湯しておき，該貯湯タンク２１内に貯溜された温水との間の熱交換によって水を加熱して給湯することができるため，給湯の度にヒートポンプサイクル１０を稼働させる必要がなく，貯湯式のヒートポンプ式給湯機と同様に，高いエネルギー消費効率を得ることができる。なお，貯湯タンク２１内の温水の沸き上げは，深夜時間帯に限られず，例えば貯湯タンク２１に容量の小さいもの（例えば１５０Ｌ程度）を用いる場合には，貯湯タンク２１内の温水の温度（温度センサ３１ａ〜３１ｃによる検出温度など）が低くなったときに，その都度ヒートポンプサイクル１０を稼働して貯湯タンク２１内の温水を沸き上げることも他の実施例として考えられる。また，ヒートポンプ式給湯機Ｘでは，貯湯タンク２１に貯湯された温水をそのまま給湯するのではなく，該貯湯タンク２１に貯湯された温水との間の熱交換によって加熱した新鮮な温水を供給することができる。
【００１４】
温度センサ３１ａ〜３１ｃは，貯湯タンク２１内の上層，中層，下層に配置されたサーミスタ等の温度センサであって，その配置された位置における水の温度を検出するものである。温度センサ３１ａ〜３１ｃで検出された温度は，前記タンク制御部（不図示）に入力される。
攪拌部材３２は，駆動モータ３３によって回転駆動されることにより，貯湯タンク２１内において温水を攪拌するものであって，例えばスクリュー形状やプロペラ形状を成している。ここに，攪拌部材３２及び駆動モータ３３が攪拌手段の一例である。
ここで，駆動モータ３３の稼働の有無は，前記タンク制御部（不図示）によって制御される。具体的に，前記タンク制御部（不図示）は，温度センサ３１ａ〜３１ｃによる検出結果や当該ヒートポンプ式給湯機Ｘの運転内容などに基づいて，駆動モータ３３の稼働の有無を判断する。なお，この点については，後段で詳述する。また，駆動モータ３３の制御は，前記ヒートポンプ制御部（不図示）によって行われるものであってもよい。
【００１５】
加熱サイクル２３は，例えば貯湯タンク２１と不図示の床暖房装置や浴室乾燥機などとが温水配管２３０によって接続されることにより形成されており，該加熱サイクル２３では，貯湯タンク２１に貯湯された温水が熱媒体として用いられる。温水配管２３０（温水還流経路の一例）は，貯湯タンク２１の中層の温水を，床暖房装置や浴室乾燥機などを経て，貯湯タンク２１の下層に還流させるための温水の流通経路である。
加熱サイクル２３では，貯湯タンク２１の中層の温水が，温水配管２３０を通じて床暖房装置や浴室乾燥機などに供給され，該床暖房装置や浴室乾燥器などで熱交換された後の温度が低下した温水は温水配管２３０を通じて貯湯タンク２１の下層に還流される。これにより，床暖房装置や浴室乾燥機などでは，温水配管２３０内に循環される温水を放熱させることによって床暖房や浴室乾燥などが実現される。また，加熱サイクル２３では，温水配管２３０に制御弁２３１，２３２が設けられており，該制御弁２３１，２３２が前記タンク制御部（不図示）によって制御されることにより，温水配管２３０に循環される温水の温度が調整される。具体的には，床暖房装置や浴室乾燥機などからの低温の温水を，貯湯タンク２１の中層から出力される高温の温水に混合させることにより，床暖房装置や浴室乾燥機などに供給される温水の温度が下げられる。
【００１６】
以下，図１，２を参照しつつ，ヒートポンプ式給湯機Ｘにおける貯湯運転について説明する。なお，当該貯湯運転は，例えば貯湯タンク２１内に設けられた温度センサ３１ａ〜３１ｃによる検出温度が予め設定された温度以下まで低下した場合などに実行される。
ヒートポンプ式給湯機Ｘでは，深夜時間帯などに貯湯運転が実行される。貯湯運転では，ヒートポンプ制御部（不図示）によって，圧縮機１１及び循環ポンプ１５が駆動される。これにより，ヒートポンプサイクル１０では冷媒が，水配管３では水が，図１に示す矢印方向に循環される。
具体的に，貯湯タンク２１の下層から出力された水は，水配管３を通じて水熱交換器１２に達し，該水熱交換器１２における冷媒との熱交換によって９０℃程度まで加熱される。その後，水熱交換器１２で加熱された後の温水は，水配管３を通じて貯湯タンク２１に戻る。このように，下層の水が沸き上げられて上層に還流されると，貯湯タンク２１内には，図２（ａ）に示すように，三層の温度分布が生じることになる。なお，貯湯タンク２１内の温水の沸き上げは，温度センサ３１ａ〜３１ｃの検出温度に応じて終了される。例えば，温度センサ３１ａの温度が所定温度以上になった場合に終了される。
【００１７】
ヒートポンプ式給湯機Ｘでは，前記のように貯湯タンク２１内の温水の沸き上げが終了すると，次に，前記タンク制御部（不図示）によって，駆動モータ３３が稼働されることにより，攪拌部材３２が回転駆動される。これにより，貯湯タンク２１内では，攪拌部材３２によって温水が攪拌され，図２（ｂ）に示すように，該貯湯タンク２１内の温水の温度が６０℃程度に均一化される。
なお，前記タンク制御部（不図示）は，例えば，貯湯タンク２１内に設けられた温度センサ３１ａ〜３１ｃで検出される温度が全て６０℃程度に達した場合や，予め設定された所定時間が経過した場合に，駆動モータ３３の稼働を終了するように制御する。
また，本実施の形態では，ここで均一化される貯湯タンク２１内の温水の温度が６０℃に設定されている場合を例に挙げて説明したが，その設定温度は６０℃に限られない。例えば，貯湯タンク２１内の温水の沸き上げ時間や，沸き上げを終了するときの温度センサ３１ａ〜３１ｃの検出温度の設定温度などを変更することによって，その設定温度を任意に調整することができる。
【００１８】
以上，説明したように，ヒートポンプ式給湯機Ｘでは，駆動モータ３３によって攪拌部材３２を回転駆動することで貯湯タンク２１内において温水を攪拌することにより，加熱サイクル２３で利用する６０℃程度の温度の温水を従来に比べて多量に確保することができるため，該加熱サイクル２３に接続された床暖房装置や浴室乾燥器などを長時間運転させる際に，頻繁にヒートポンプサイクル１０を稼働させる必要がなく，装置全体のエネルギー消費効率を向上させることができる。
なお，床暖房装置や浴室乾燥器などを継続して運転することにより，図２（ｃ）に示すように，貯湯タンク２１内の温水の温度が低下した場合には，ヒートポンプサイクル１０及び循環ポンプ１５が稼働されることにより，貯湯タンク２１内の温水が沸き上げられる。
【００１９】
さらに，温度センサ３１ａ〜３１ｃ各々の検出温度に基づいて貯湯タンク２１内の温水の攪拌の有無を切り換えるように制御することが考えられる。ここに，かかる制御は例えば前記タンク制御部（不図示，第一の攪拌制御手段の一例）によって実行される。
具体的には，温度センサ３１ａ〜３１ｃ各々の検出温度の温度差が予め設定された温度差を超えた場合に，再度駆動モータ３３を駆動させて，貯湯タンク２１内の温水を攪拌するように構成してもよい。これにより，例えば貯湯タンク２１内の温水を沸き上げた後，時間の経過などにより貯湯タンク２１内の温水に温度差が生じた場合に，その温度差を解消することができる。このような構成では，必要時にのみ駆動モータ３３が稼働されるため，不要な稼働による電力消費を防止することができる。
【００２０】
また，貯湯タンク２１内の温水の攪拌の有無を，ヒートポンプ式給湯機Ｘの運転内容に応じて切り換えることも考えられる。ここに，かかる制御は例えば前記タンク制御部（不図示，第二の攪拌制御手段の一例）によって実行される。
例えば，加熱サイクル２３を用いて床暖房装置を稼働させる場合，即ち６０℃程度の温水が多量に必要になる場合には貯湯タンク２１内を攪拌し，通常の給湯運転だけであれば貯湯タンク２１内を攪拌しないように制御することが考えられる。これにより，不要な駆動モータ３３の稼働をなくして消費電力を省減することができる。
【実施例】
【００２１】
前記実施の形態では，直接給湯経路２２が，貯湯タンク２１内を通過するように配された給湯配管２２１を含む構成を例に挙げて説明した。ここでは，直接給湯経路２２の他の例について説明する。ここに，図３は，本実施例に係るヒートポンプ式給湯機Ｘ１の概略構成を示すブロック図である。なお，実施の形態で説明したヒートポンプ式給湯機Ｘ（図１参照）と同様の構成については同じ符号を用いてその説明を省略する。
図３に示すように，本実施例に係るヒートポンプ式給湯機Ｘ１では，直接給湯経路２２に，給湯配管２２１に換えて貯湯タンク２１に内蔵された給湯用タンク２２３が含まれている。ここに，給湯用タンク２２３は，貯湯タンク２１内に隔壁２２３ａを設けることによって，該貯湯タンク２１と一体形成されたものである。但し，貯湯タンク２１と給湯用タンク２２３との間は，水の流通ができないように隔壁２２３ａによって完全に隔離されている。
このように構成されたヒートポンプ式給湯機Ｘ１では，貯湯タンク２１内の温水と給湯用タンク２２３内の水との間で隔壁２２３ａ（隔壁の一例）を介して熱交換が行われることにより，給湯用タンク２２３内の水が加熱される。
したがって，ヒートポンプ式給湯機Ｘ１では，タンク制御部（不図示）によって給水口２４が開かれて，給湯用タンク２２３の下部に水が供給されることによって，該給湯用タンク２２３の上部から給湯口２５に向けて温水が給湯される。なお，ここでは，貯湯タンク２１内に隔壁２２３ａを配することにより形成された給湯用タンク２２３について説明したが，貯湯タンク２１とは独立して形成された給湯用タンク２２３を貯湯タンク２１内に収容することも考えられる。この場合には，その給湯用タンクの筐体全体で貯湯タンク２１内の温水との熱交換を行うことができる。
【図面の簡単な説明】
【００２２】
【図１】本発明の実施の形態に係るヒートポンプ式給湯機の概略構成を示すブロック図。
【図２】本発明の実施の形態に係るヒートポンプ式給湯機における貯湯タンク内の温水の温度分布を説明するための図。
【図３】本発明の実施例に係るヒートポンプ式給湯機の概略構成を示すブロック図。
【図４】従来のヒートポンプ式給湯機の概略構成を示すブロック図。
【図５】従来のヒートポンプ式給湯機における貯湯タンク内の温水の温度分布を説明するための図。
【符号の説明】
【００２３】
１…ヒートポンプユニット
２…貯湯タンクユニット
３…水配管
１１…圧縮機
１２…水熱交換器
１２１…冷媒配管
１２２…水配管
１３…膨張弁
１４…室外空気熱交換器
１５…循環ポンプ
２１…貯湯タンク
２２…直接給湯経路
２２１…給湯配管
２２２…給湯混合弁
２２３…給湯用タンク
２２３ａ…隔壁
２３…加熱サイクル
２３０…温水配管
２３１，２３２…制御弁
２４…給水口
２５…給湯口
３１ａ〜３１ｃ…温度センサ（温度検出手段の一例）
３２…攪拌部材
３３…駆動モータ（駆動手段の一例）
Ｘ，Ｘ１…ヒートポンプ式給湯機
【図１】
2008267658.tif 000003
【図２】
2008267658.tif 000004
【図３】
2008267658.tif 000005
【図４】
2008267658.tif 000006
【図５】
2008267658.tif 000007